(57)【要約】      （修正有）【課題】一辺が蓋体に繋がっており座椅子の機能を有し、もっと好ましい荷重能力を有し、且つ、使用及び収納にはもっと便利になる座椅子となることが可能な収納箱を提供する。【解決手段】箱体１１の上端の一辺が蓋体１２の一辺に繋がっており、該蓋体の他の各辺にそれぞれ第一の側板、第二の側板と第三の側板を有し、底板１３は該箱体の底面に置かれた座椅子となることが可能な収納箱において、該箱体の内壁面の該蓋体に隣接した両隅角部の両側にそれぞれ固定素子が設けられ、該底板の隣接した両隅角部にそれぞれ第一の固定構成を有する第一の支持レバー、及び第二の固定構成を有する第二の支持レバーが枢設され、該底板が箱体内に置かれた後、該第一の支持レバーと第二の支持レバーが直立可能となり、該固定素子により該第一の固定構成と第二の固定構成が固定可能となり、さらに、該第一の支持レバーと第二の支持レバーで蓋体の接続辺に近接した両側の底面を支持することを特徴とする。【選択図】図２
0003170448.tif 000002
【実用新案登録請求の範囲】
【請求項１】
箱体、蓋体、及び底板を備えており、該箱体の相対する両側壁に折線が形成されており、該側壁が折り曲げられることができ、該箱体の上端の一辺が該蓋体の一辺に繋がっており、該蓋体の他の各辺にそれぞれ第一の側板、第二の側板と第三の側板を有し、該底板は該箱体の底部に置かれた座椅子となる可能な収納箱において、
該箱体の内壁面の該蓋体に隣接した両隅角部の両側にそれぞれ固定素子が設けられ、該底板の上の隣接した両隅角部には、それぞれ第一の固定構成を有する第一の支持レバー、及び第二の固定構成を有する第二の支持レバーが枢設されており、該底板を箱体内に置いた後、該第一の支持レバーと第二の支持レバーを直立させることができ、該第一の固定素子により該第一の固定構成と第二の固定構成を固定することができ、さらに、該第一の支持レバーと第二の支持レバーにより該蓋体の接続辺に近接した両側の底面を支持することを特徴とする座椅子となる可能な収納箱。
【請求項２】
該第一の側板がそれと蓋体の接続箇所から内側方向へある傾斜角度を成し、該蓋体が箱体を覆蓋した場合、該第一の側板が箱体の外周をぴったり包覆することができることを特徴とする請求項１に記載の座椅子となる可能な収納箱。
【請求項３】
前記底板の他の二つの隅角部には、それぞれ第三の支持レバー、第四の支持レバーが枢接されていることを特徴とする請求項１に記載の座椅子となる可能な収納箱。
【考案の詳細な説明】
【技術分野】
【０００１】
本考案は、座椅子と物品収納機能を兼ねた収納箱に関する。要は、座椅子とする蓋体がもっと好ましい支持強度を有する構成を提供することに関する。
【背景技術】
【０００２】
体積を縮小して収納には便利になるために、従来の折り畳み式収納箱の種類が沢山ある。例えば、若干の設計は軟質の布材を採用して矩形箱体を作製し、矩形箱体の上端の四辺においてそれぞれ上水平レバーを設け、箱体の下端の相対する二辺においてそれぞれ下水平レバーを設け、箱体の四つの垂直辺においてそれぞれ直立レバーを設け、該隣り合った上水平レバー同士の端部の間で、該隣り合った下水平レバー同士の端部の間で、及び直立レバーと上、下水平レバーの端部の間で適当な距離を保持しており、この構成によれば、該軟質の箱対は該直立レバー、上水平レバー及び下水平レバーにより物品放置可能な物置箱に支持されてなり、このような箱体を捻って扁平状に折り畳むことができる。
【０００３】
上記従来の箱体は軟質の布で作られたものであり、各隅角部にレバーにより支持されるが、箱体の各面はやはり柔軟であるので、座椅子として使用されることができない。
【０００４】
その後、座椅子を兼ねた改良式収納箱という設計があり、その構成は収納箱の箱体の上に蓋体を設け、蓋体の周囲には箱体の外周面を覆う側板を有し、箱体の内の各隅角部には直立の支持レバーを設け、支持レバーにより蓋体の四つの隅角部を支持し、座椅子として使用されることができる。
【０００５】
部材のコストと使用の便利性のために、その後の座椅子となる可能な収納箱は、さらに改良をして蓋体の一辺が箱体に繋がっており、繋がっていない他の辺には側板を設け、蓋体を箱体に覆蓋した場合、各側板は箱体の外周を覆うことができるが、その接続辺が箱体に対する包覆力は不足であるので、該辺の荷重能力が低くなり、体重の重い人が蓋体の上に座ると、箱体と蓋体の接続辺から傾斜して損害してしまう。上記問題について改良された従来の収納箱は、箱体に補強レバーを別設したが、この手法では、コストが増加し、且つ、補強レバーが紛失しやすく保存することが容易でない。
【考案の概要】
【考案が解決しようとする課題】
【０００６】
本考案の主な目的は、一辺が蓋体に繋がっており座椅子の機能を有し、もっと好ましい荷重能力を有し、且つ、使用及び収納にはもっと便利になる収納箱を提供する。
【課題を解決するための手段】
【０００７】
本考案の一つの特徴は、底板に二つの支持レバーが枢接され、底板が収納箱の箱体内の底面に置かれた場合、支持レバーを直立させて箱体と繋がっている蓋体の一辺の両側の底面を支持することができ、蓋体に覆蓋されていない箱体の一辺には良好な荷重能力を有し、収納箱を使用しない時、支持レバーを便利に動き底板の上に平に置いて貯蔵しやすくなることにある。
【０００８】
本考案のもう一つの特徴は、箱体が蓋体と繋がっている接続辺の以外、残る各辺にはそれぞれ側板が設けられ、該接続辺と対向する第一の側板はそれと蓋板の接続箇所から内側方向へある傾斜角度を成し、蓋体が箱体を覆蓋した場合、該傾斜角度により第一の側板が箱体をぴったり覆うことができ、箱体の荷重能力を強めることができることにある。
【０００９】
上記により、本考案の技術手段は、箱体の上端の一辺が蓋体の一辺に繋がっており、該蓋体の他の各辺にそれぞれ第一の側板、第二の側板と第三の側板を有し、底板は該箱体の底面に設けられた座椅子となる可能な収納箱において、該箱体の内壁面の該蓋体に隣接した両隅角部の両側にそれぞれ固定素子が設けられ、該底板の隣接した両隅角部にそれぞれ第一の固定構成を有する第一の支持レバー、及び第二の固定構成を有する第二の支持レバーが枢設され、該底板が箱体内に置かれた後、該第一の支持レバーと第二の支持レバーが直立可能となり、該固定素子により該第一の固定構成と第二の固定構成が固定可能となり、さらに、該第一の支持レバーと第二の支持レバーの上端で蓋体の接続辺に近接した両側の底面を支持することを特徴とする座椅子となる可能な収納箱にある。また、本考案のもう一つの技術手段は、該第一の側板がそれと蓋体の接続箇所から内側方向へある傾斜角度を成し、該蓋体が箱体を覆蓋した場合、第一の側板が箱体の外周をぴったり覆うことができることを特徴とする座椅子となる可能な収納箱にある。
【００１０】
本考案は、前記固定素子として、タッチファスナー(touch fastener)におけるフック(hook)を採用しても良い。また、前記第一の固定構成と第二の固定構成として、タッチファスナーにおけるループ(loop)を採用しても良い。
【００１１】
本考案は、さらに底板の四つの隅角部にそれぞれ支持レバーを枢接してもよい。これにより、各支持レバーを直立させた場合、蓋体の四つの隅角部の底面を支持することができる。
【００１２】
本考案の全体の構成は、従来の座椅子とする可能な折り畳み式収納箱と比べれば、コンパクトであり、製造コストはもっと低減し、使用の便利性はもっと良く、構成の強度はもっと強いので、本考案は進歩性を有しており、且つ、従来の同類製品に見られないので、新規性を有している。
【考案の効果】
【００１３】
本考案の座椅子となる可能な収納箱によれば、従来のものよりもコンパクトであり、製造コストは低減し、使用の便利性は良く、構成の強度は強いなどの利点がある。
【図面の簡単な説明】
【００１４】
【図１】本考案の主な部材の組み立て関係の実施例を示す分解斜視図である。
【図２】本考案の底板を箱体内に置いた実施例を示す斜視図である。
【図３】本考案の箱体内に置かれた底板の上の第一の支持レバーと第二の支持レバーを直立させた実施例を示す斜視図である。
【図４】本考案の蓋体を箱体に覆蓋した実施例を示す平面概要図である。
【図５】本考案の蓋体を箱体に覆蓋した実施例を示す斜視図である。
【図６】本考案の収納箱を扁平状に折り畳み、且つ収納便利のために、底板を蓋体の内側に置いた実施例を示す斜視図である。
【図７】本考案の底板の四つの隅角部にそれぞれ支持レバーを枢接し、支持レバーに蓋体の底面の四つの隅角部を支持させた実施例を示す斜視図である。
【考案を実施するための形態】
【００１５】
まず、図１を参照しながら本考案を説明する。図１は本考案に係る主な部材の組み立て関係の実施例を示す分解斜視図である。本考案の収納箱１は、箱体１１、蓋体１２、及び底板を備えている。箱体１１の好ましい実施例は立方体又は長方体であり、その底面１１４の四辺にはそれぞれ上方に延伸した側壁を有している。そのうち、相対する二側壁は硬質で折り曲げられることができず、他の相対する二側壁は軟質であるが、垂直方向に延伸している折線１１１を有し、当該二側壁が折り曲げられることができ、隣り合った側壁同士の間でも折り曲げられることができる。箱体１１の内壁面の二隅角部の両側にはそれぞれ固定素子１１２が設けられている。上記固定素子１１２としてタッチファスナーにおけるフックを採用しても良い。本考案では適当な硬度を有する材料を採用して箱体の四つの側壁を製作し、軟性の布材(例えば、帆布，プラスチック製布、…などの材料)で硬質の側壁の外面を包覆しており、側壁と側壁の間で適当な隙間を保持しており、該軟性の布材で繋がっており、これにより、側壁と側壁の間で自然に折線を形成して折り曲げられることができる。箱体１１を順調に折り畳むために、箱体１１の底面１１４は軟性の布材で製造された方が良い。
上記蓋体１２の一辺が箱体１１の上端の一辺に繋がって接続辺１１３を形成しており、蓋体１２が箱体１１に対し動くことができるので、箱体１１の上端を覆蓋することができる。該蓋体１２は頂面を有しており、該頂面の接続辺１１３以外の他の三辺から、下方へ延伸して接続辺１１３と対向している第一の側板１２１と、及び他の両側に相対している第二の側板１２２と第三の側板１２３を有している。該蓋体１２は同様に適当な硬度を有する材料を採用して蓋体の第一の側板１２１、第二の側板１２２及び第三の側板１２３を製作して、軟性の布材(例えば、帆布，プラスチック製布、…などの材料)で硬質の当該第一の側板１２１、第二の側板１２２及び第三の側板１２３の外面を包覆しており、各側板と側板の間で適当な隙間が保持されており、且つ、該軟性の布材で繋がっており、これにより、側板と側板の間で自然に折線を形成して折り曲げられることができる。本考案の好ましい実施例は、第一の側板１２１がそれと頂板の接続箇所から内側方向へある傾斜角度θ(図４を参照)を成し、蓋体１２が箱体１１を覆蓋した場合、第一の側板１２１、第二の側板１２２及び第三の側板１２３が箱体１１の外周をぴったり覆うことができる。
箱体１１を展開した後、位置きめをすることができるために、前記底板１３を箱体１１の底面に対応する硬質の板体にしており、底板１３を箱体１１の底面に置き、底板１３の各辺を箱体１１の内径の各面に当接させたことにより、箱体をちゃんと支持している(図２に示すように)。底板１３の上の隣り合った二隅角部には、それぞれ第一の接続端１３１２により第一の固定構成１３１１を有する第一の支持レバー１３１を枢接しており、及び第二の接続端１３２２により第二の固定構成１３２１を有する第二の支持レバー１３２を枢接している。底板１３を箱体１１の内に置いた場合、第一の支持レバー１３１と第二の支持レバー１３２を直立させ、第一の固定素子１１２により第一の固定構成１３１１及び第二の固定構成１３２１を固定しており、さらに、第一の支持レバー１３１と第二の支持レバー１３２により蓋体１２の接続辺１１３に近接した両側の底面を支持する(図３に示すように)。
前記素子及び構成により、座椅子として使用したい時、底板１３を直接箱体１１の内部の底面１１４の上に置き、底板１３の各辺を箱体の内径の各面に当接し、底板１３の上の第一の支持レバー１３１及び第二の支持レバー１３２を直立させ、箱体１１の接続辺１１３に隣り合った両端部に固定させた後、蓋体１２を箱体１１の上方に覆蓋し(図４及び図５に示すように)、蓋体１２により使用者の着座を提供する。
本考案の座椅子となる可能な収納箱を使用せず収めようとする時、蓋体１２を箱体１１から開け、底板１３を箱体１１の内から取り出した後、折線１１１に沿って箱体１１を折り曲げ、最後は図６に示すように収納箱を扁平状に折り畳み、第一の支持レバー１３１及び第二の支持レバー１３２を底板１３の表面に置いた後、底板１３を箱体１１の上、下方に置けばよい。
本考案は上記のように底板の上に二つの支持レバーを置く以外、図７に示すように底板１４の四つの隅角部に近接した箇所に、それぞれ第一の支持レバー１３１、第二の支持レバー１３２、第三の支持レバー１３３及び第四の支持レバー１３４を設け、底板１３を箱体１１の内に置いて各支持レバーを直立させた後、蓋体１２の底面の四つの隅角部を支持したことにより、もっと大きな重量を負荷することができる。
【符号の説明】
【００１６】
１  収納箱
１１  箱体
１１１  折線
１１２  固定素子
１１３  接続辺
１１４  底面
１２  蓋体
１２１  第一の側板
１２２  第二の側板
１２３  第三の側板
１３  底板
１３１  第一の支持レバー
１３１１  第一の固定構成
１３１２  第一の接続端
１３２  第二の支持レバー
１３２１  第二の固定構成
１３２２  第二の接続端
１３３  第三の支持レバー
１３４  第四の支持レバー
【図１】
0003170448.tif 000003
【図２】
0003170448.tif 000004
【図３】
0003170448.tif 000005
【図４】
0003170448.tif 000006
【図５】
0003170448.tif 000007
【図６】
0003170448.tif 000008
【図７】
0003170448.tif 000009